(57)【特許請求の範囲】
【請求項１】
相互に隣接する一対の躯体間に配設される伸縮継手装置であって、前記一対の躯体間に渡って延びる継手本体と、前記継手本体を覆う可動カバーと、前記可動カバーと前記継手本体とを覆う化粧カバーとを備え、前記継手本体の一端部は前記一方の躯体に装着され、その他端部は前記一対の躯体が近接および離隔する左右方向およびこの左右方向に対して垂直な前後方向に移動自在に前記他方の躯体に支持されており、また前記可動カバーは前記左右方向に移動自在に前記他方の躯体に装着され、かつ前記継手本体に前記前後方向に相対的に移動自在に連結されており、前記化粧カバーは前記一方の躯体に装着され、前記可動カバーの一端部と重合されていることを特徴とする伸縮継手装置。
【発明の詳細な説明】
【０００１】
【発明の属する技術分野】
本発明は、相互に隣接する２つの建物間の間隙に外部から雨水等が侵入するのを防止するために用いられる伸縮継手装置に関する。
【０００２】
【従来の技術】
隣接する一対の躯体間に設けられる伸縮継手装置として、たとえば、実開平６−６５５０４号公報に開示されたものが存在する。この伸縮継手装置は、剛性基蓋およびこの剛性基蓋に被着されたカバー板から構成されたカバー体を備えている。カバー体の一端部は片方の躯体に設けられた保持受枠に支持され、この保持受枠に連結される。また、カバー体の他端部は他方の駆体に設けられた摺動受枠に前後左右方向に移動自在に支持されている。
【０００３】
【発明が解決しようとする課題】
しかしながら、上記の伸縮継手装置には、次のとおりの解決すべき問題が存在する。カバー体が剛性基蓋に装着されているので、このカバー体が剛性基蓋と一体に前後左右方向に移動する。それゆえに、カバー体の他端部を支持する他方の躯体側においては、その他端部の移動を許容するためのスペースを必要とし、その許容移動量が大きくなればなる程、必要なスペースも大きくなる。したがってスペースの関係上、カバー体の移動量が制限され、躯体の大きな変位に充分対応することができない。また、一対の躯体の通路間の目地の被覆には適用することができない。
【０００４】
本発明の目的は、一対の躯体が前後方向および左右方向の変位に対しても充分対応することができる伸縮継手装置を提供することである。
【０００５】
【課題を解決するための手段】
本発明は、相互に隣接する一対の躯体間に配設される伸縮継手装置であって、前記一対の躯体間に渡って延びる継手本体と、前記継手本体を覆う可動カバーと、前記可動カバーと前記継手本体とを覆う化粧カバーとを備え、前記継手本体の一端部は前記一方の躯体に装着され、その他端部は前記一対の躯体が近接および離隔する左右方向およびこの左右方向に対して垂直な前後方向に移動自在に前記他方の躯体に支持されており、また前記可動カバーは前記左右方向に移動自在に前記他方の躯体に装着され、かつ前記継手本体に前記前後方向に相対的に移動自在に連結されており、前記化粧カバーは前記一方の躯体に装着され、前記可動カバーの一端部と重合されていることを特徴とする伸縮継手装置である。
本発明に従えば、継手本体の一端部が片方の躯体に装着され、この継手本体の他端部は左右方向およびこの左右方向に対して垂直な前後方向に移動自在に他方の躯体に支持されているので、他方の躯体に対する継手本体の左右方向および前後方向の相対的移動が許容される。また、可動カバーが左右方向に移動自在に他方の躯体に装着され、また前後方向に相対的に移動自在に継手本体に連結されているので、他方の躯体に対する可動カバーの左右方向の移動が許容されるとともに、継手本体に対する可動カバーの前後方向の移動が許容される。したがって、一対の躯体が左右方向および前後方向に変位しても充分対応することができ、継手本体、可動カバーおよび化粧カバーが破損あるいは変形することがない。また、可動カバーおよび化粧カバーが継手本体を覆うので、継手本体が内側に露出されることもない。
【０００６】
【発明の実施の形態】
図１〜図３を参照して、図示の伸縮継手装置２は、継手本体４と、この継手本体４に対して相対的に移動自在である可動カバー６と、可動カバー６と継手本体４を覆う化粧カバー８を備えている。この伸縮継手装置２は、たとえば既設の建物１０（片方の躯体を構成する）に隣接して新設の建物１２（他方の躯体を構成する）を建造する場合に、この既設建物１０と新設建物１２を伸縮自在に接続するために用いられ、この伸縮継手装置２を介して両建物１０，１２間を人が行き来することができる。
【０００７】
図１〜図３ともに図４〜図６を参照して、図示の継手本体４は略矩形状の本体プレート１４を備えている。本体プレート１４の図１において左端部には端壁１６が設けられている。また、本体プレート１４の両側部（図１において紙面に垂直な方向の側部、図４〜図６において左右方向の側部）には、側壁１８が設けられている（図４〜図６において片方のみ示す）。この本体プレート１４の内面には、横方向（図１において紙面に垂直な方向、図３において上下方向、図４〜図６において左右方向）に間隔を置いて補強部材２０が３個配設されている。補強部材２０は、断面形状が略逆ハット形状であり、その両端部に設けられたフランジ２１が本体プレート１４の内面に溶接の如き手段によって固定されている。各補強部材２０は、継手本体４一端部（図１において右端部）から他端部（図１において左端部）まで延びている。
【０００８】
継手本体４の一端部は、たとえば一方の建物１０（たとえば既設の建物）に装着される。実施の形態では、一方の建物１０の通路用開口３０の下面を規定する床面３１（建物１０の任意の階の床面でよい）には、アンカーボルト２２が埋込まれ、このアンカーボルト２２とナット２３によって建物１０の通路幅の略全幅の表面に金属プレート２４が固定されている（図１）。金属プレート２４には、継手本体４の補強部材２０に対応して複数個の固定部材２６が溶接の如き手段によって固定されている。各固定部材２６は略Ｌ字状であり、その突出部２８がボルトとナットの如き連結手段（図示せず）を介して継手本体４の補強部材２０に連結されている（図６）。したがって、継手本体４の一端部は片方の建物１０に固定されている。なお、補強部材２０に代えて、継手本体１４の側壁１８を固定部材２６に連結するようにしてもよく、ボルトとナットに代えて溶接の如き手段によって固定するようにしてもよい。
【０００９】
この継手本体４は、図３に示すとおり、隣接して設けられた一対の建物１０，１２に形成された通路用開口３０，３２の幅方向（図３において紙面に垂直な方向）中央部に配置され、その幅は通路用開口３０，３２の幅の約１／３〜１／２程度の大きさに設定することができる。継手本体４の他端部は他方の建物１２の通路用開口３２に向けて延び、この通路用開口３２の床面３３に載置されている。したがって、継手本体４の他端部は他方の建物１２に対して水平に、隣接する建物１０，１２に近接および離隔する左右方向（図１および図２において左右方向）に相対的に移動自在であるとともに、上記左右方向に対して垂直な前後方向、すなわち図１において紙面に垂直な方向に相対的に移動自在である。
【００１０】
他方の建物１２の床面３３に対する継手本体４の他端部の相対的移動をスムースにするために、本体プレート１４の内面に滑動手段が配設されている。実施の形態では、滑動手段はボール型のキャスタ３６から構成され、キャスタ３６が補強部材２０に対応して本体プレート１４の幅方向に間隔を置いて３個設けられている。本体プレート１４に作用する荷重に応じてキャスタ３６の数を増減することができる。各キャスタ３６は同一の構成であり、任意の方向に回転自在であるボール３８とこのボール３８を回転自在に受入れる本体部４０を有し、本体部４０が取付用ねじ４１によって本体プレート１４の内面に固定されている。なお、ボール型キャスタ３６に代えて、任意の方向に角度変位可能な他の形態のキャスタ等を用いることができる。また、キャスタ３６に代えて、テフロン、ビニル等の滑り易い合成樹脂シート材を、他方の建物１２の床面３３と継手本体４との間に介在させるようにしてもよい。
【００１１】
可動カバー６は、継手本体４に前後方向（図１において紙面に垂直な方向）に移動自在に装着されている。可動カバー６はプレート状の可動プレート４２を有し、可動プレート４２は継手本体４の一端部を除く大部分を覆っている。可動プレート４２の一端部（図１および図３において左端部）は、外方に向けて床面３３に近接する方向に直線状に傾斜し、その端部は上記床面３３に実質上接触しており、これによって可動プレート４２と床面３３との間に段差が生じるのを解消している。可動プレート４２の両側部（図３において上下方向の側部）には、それぞれ側壁４４が設けられている（図４〜図６において片方のみを示す）。可動カバー６の一対の側壁４４の間には、上記左右方向に間隔を置いて一対の連結ロッド４６，４８が溶接の如き手段によって固定されており、連結ロッド４６，４８は片方の側壁４４に固定され一端から継手本体４の側壁１８および補強部材２０を貫通して他方の側壁４４に固定されている。したがって、可動カバー６は、その片方の側壁４４が継手本体４の片方の側壁１８に実質上接触する位置、すなわち図７（ａ）に示す位置からその他方の側壁４４が継手本体４の他方の側壁１８に実質上接触する位置、すなわち図７（ｂ）に示す位置との間を継手本体４に対して相対的に移動自在であり、この相対的移動は連結ロッド４６，４８に沿って行われる。
【００１２】
継手本体４に対する可動カバー６の相対的移動をスムースにするために、継手本体４の内側に滑動手段が配設されている。実施の形態では、上述したと同様に、滑動手段はボール型のキャスタ５０から構成され、キャスタ５０が補強部材２０に対応して本体プレート１４の長手方向略中央部に幅方向に間隔を置いて３個設けられている。可動カバー６に作用する荷重に応じてキャスタ５０の数を増減することができる。各キャスタ５０は前記キャスタ３６と実質上同一の構成であり、回転自在なボール５２とこのボール５２を受入れる本体部５４を有し、本体部５４が取付用ねじ５６によって補強部材２０に固定されている。ボール５２の一部は、本体プレート１４に形成された孔（図示せず）を通して幾分上方に突出しており、この突出部が可動プレート４２の内面を支持している。なお、ボール型キャスタ５０に代えて、任意の方向に角度変位可能な他の形態のキャスタ等を用いることができる。また、キャスタ５０に代えて、テフロン、ビニル等の滑り易い合成樹脂シート材を、継手本体４と可動カバー６との間に介在させてもよい。
【００１３】
この可動カバー６は、図３から理解されるとおり、他方の建物１２に規定された通路用開口３２の幅に対応した大きさであり、その一端部は他方の建物１２の通路用開口３２の床面３３に装着される。したがって、この可動カバー６の他端部は、図８から理解されるとおり、他方の建物１２に対して上記左右方向に移動することができるが、上記前後方向（図３において上下方向）に実質上移動することができない。
【００１４】
化粧カバー８は、片方の建物１０に固定され、継手本体４の一端部（可動カバー６から露出している部分）を覆っている。実施の形態では、化粧カバー８は、建物１０に規定された通路用開口３０の幅に対応した大きさを有し、溶接の如き手段によって相互に固定された上プレート５８と下プレート６０から構成されている。下プレート６０の基部はアンカーボルト６２とナット６３によって建物１０の床面３１に固定されている。下プレート６０の他端部は、上記基部から上方に延び、しかる後実質上水平に可動カバー６の他端部まで延び、下プレート６０の先端部と可動カバー６の他端部とは一部重合されている。上プレート５８は下プレート６０と重なるように設けられ、その基部は図１において右方に向けて建物１０の床面３１に近接する方向に直線状に傾斜して延び、その端部は上記床面３１に実質上接触しており、これによって化粧カバー８と建物１０の床面３１との間に段差が生じるのを解消している。上プレート５８の先端部は下プレート６０と同様に可動カバー６の他端部まで延び、可動カバー６の上面の一部を覆っている。化粧カバー８は、図１および図３から理解されるとおり、可動カバー６および継手本体４の一部を覆い、実施の形態では、伸縮継手装置の床面を構成し、この伸縮継手装置は、床面用のものとして好都合に適用することができる。
【００１５】
実施の形態では、化粧カバー８は片方の建物１０に装着され、可動カバー６は他方の建物１２に装着されているので、両建物１０，１２が上記前後方向に変位すると、図７から理解されるとおり、化粧カバー８と可動カバー６とが接触した状態で相対的に移動する。それ故に、可動カバー６と化粧カバー８との相対的移動をスムースにするために、テフロン、ビニル等の合成樹脂シート材を可動カバー６と化粧カバー８との間に介在させるようにしてもよい。
【００１６】
再び、図１を参照して、伸縮継手装置２は、建物１０，１２間に装着される止水板６２および耐火帯６４を含んでいる。止水板６２は、継手本体４の図１において下側に配設され、その一端部は建物１０に固定された取付金具６６にボルトの如き手段によって固定され、その他端部は他方の建物１２に固定された取付金具６８にボルトの如き手段によって固定されている。また、耐火帯６４は、止水板６２の図１において下側に配設され、その一端部が補強プレート７０を介して上記取付金具６６に固定され、その他端部が補強プレート７２を介して他方の取付金具６８に取付けられている。実施の形態では、補強プレート７２に係止爪７４が設けられ、他方取付金具６８には係止部７６が設けられ、係止爪７４と係止部７６を係止させることによって、補強プレート７２の取付金具６８への取付けが行われる。
【００１７】
次いで、上記伸縮継手装置２の作用効果について説明する。隣接する建物１０，１２が地震等によって左右方向（図２および図８において矢印８２で示す方向）に変位すると、継手本体４の一端部が建物１０に固定されているので、図３および図８で示すとおり、継手本体４の他端部が他方の建物１２に対して相対的に矢印８２で示す方向に移動し、この移動に伴って、可動カバー６の他端部も他方の建物１２に対して矢印８２で示す方向に相対的に移動する。他方の建物１２の床面３３に対する継手本体４の移動は、キャスタ３６（図１および図４）を介して行われるので、その移動はスムースとなる。したがって、一対の建物１０，１２間の左右方向の変位は、建物１２と継手本体４の他端部および可動カバー６の一端部との相対的移動によって吸収され、継手本体４、可動カバー６等が損傷することがない。なお、このとき、化粧カバー８は可動カバー６に対して相対的に移動することはない。
【００１８】
継手本体４、可動カバー６および化粧カバー８は、通常、図３に示す位置にある。したがって、実施の形態では、建物１０，１２が離隔する方向に移動するときには、図３の位置から図８（ａ）に示す位置、すなわち継手本体４の一端部が他方の建物１２の床面３３から外れる直前の位置までの間の移動が許容され、また建物１０，１２が近接する方向に移動するときには、図３の位置から図８（ｂ）に示す位置、すなわち建物１０，１２が相互に当接する直前の位置までの間の移動が許容される。
【００１９】
一方、隣接する建物１０，１２が地震等によって前後方向（図２および図７において矢印８４で示す方向）に変位すると、継手本体４および化粧カバー８が片方の建物１０に装着され、可動カバー６の一端部が他方の建物１２に装着されているので、図３および図７で示すとおり、継手本体４および化粧カバー８に対して可動カバー６が矢印８４で示す方向に相対的に移動する。継手本体４に対する可動カバー６の移動は、キャスタ５０（図１および図６）を介して行われるので、その移動はスムースとなる。したがって、一対の建物１０，１２間の上記前後方向の変位は、継手本体４および化粧カバー８と可動カバー６の相対的移動によって吸収され、この方向の変位に対しても継手本体４、可動カバー６および化粧カバー８等が損傷することがない。
【００２０】
上述したとおり、継手本体４、可動カバー６および化粧カバー８は、通常、図３に示す位置にある。したがって、実施の形態では、建物１０が他方の建物１２に対して図３において上方にに移動するときには、図３の位置から図７（ａ）に示す位置、すなわち可動カバー６の片方の側壁４４（図３および図７において下側の側壁）が継手本体４の片方の側壁１８（図３および図７において下側の側壁）に当接する直前の位置までの間の移動が許容され、また建物１０が他方の建物１２に対して図３において下方にに移動するときには、図３の位置から図７（ｂ）に示す位置、すなわち可動カバー６の他方の側壁４４（図３および図７において上側の側壁）が継手本体４の他方の側壁１８（図３および図７において上側の側壁）に当接する直前の位置までの間の移動が許容される。
【００２１】
以上のとおりであるので、この伸縮継手装置２は、一対の建物１０，１２の水平方向の変位、すなわち矢印８２で示す左右方向の変位および矢印８４で示す前後方向の変位を所望のとおり吸収することができる。また、建物１０，１２が変位しても可動カバー６および化粧カバー８は継手本体４を覆っているので、この継手本体４が隣接する建物１０，１２間の通路内に露出することはない。なお、一対の建物１０，１２の上下方向の変位を充分に吸収するためには、たとえば、継手本体４の一端部および化粧カバー８の基部を片方の建物１０に揺動自在に装着することができる。
【００２２】
実施の形態では、継手本体４の他端部のみにキャスタ３６を設けているが、建物１０に対する継手本体４の一端部の移動も許容するために、この一端部にもキャスタを設けてもよい。
【００２３】
【発明の効果】
本発明によれば、継手本体の一端部が片方の躯体に装着され、この継手本体の他端部は左右方向およびこの左右方向に対して垂直な前後方向に移動自在に他方の躯体に支持されているので、他方の躯体に対する継手本体の左右方向および前後方向の相対的移動が許容される。また、可動カバーが左右方向に移動自在に他方の躯体に装着され、また前後方向に相対的に移動自在に継手本体に連結されているので、他方の躯体に対する可動カバーの左右方向の移動が許容されるとともに、継手本体に対する可動カバーの前後方向の移動が許容される。したがって、一対の躯体が左右方向およびこの前後方向に変位しても伸縮継手装置はこれらの方向の変位を充分吸収することができ、継手本体、可動カバーおよび化粧カバーが破損あるいは変形することがない。また、化粧カバーが可動カバーおよび継手本体を覆うので、可動カバーおよび継手本体が床表面に露出されることもない。
【図面の簡単な説明】
【図１】本発明に従う伸縮継手装置の一実施形態を示す断面図である。
【図２】図１の伸縮継手装置を一対の建物間に用いた状態を簡略的に示す簡略平面図である。
【図３】図１の伸縮継手装置を示す平面図である。
【図４】図３におけるＩＶ−ＩＶ線による部分断面図である。
【図５】図３におけるＶ−Ｖ線による部分断面図である。
【図６】図３におけるＶＩ−ＶＩ線による部分断面図である。
【図７】一対の建物が前後方向に相対的移動したときの伸縮継手装置の動きを説明するための簡略平面断面図である。
【図８】一対の建物が左右方向に相対的移動したときの伸縮継手装置の動きを説明するための簡略平面断面図である。
【符号の説明】
２  伸縮継手装置
４  継手本体
６  可動カバー
８  化粧カバー
１０，１２  建物（躯体）
３０，３２  通路用開口
３１，３３  通路用開口の床面
３６，５０  ボール型キャスタ
４８  連結ロッド
【図１】
0003718289.tif 000002
【図２】
0003718289.tif 000003
【図３】
0003718289.tif 000004
【図４】
0003718289.tif 000005
【図５】
0003718289.tif 000006
【図６】
0003718289.tif 000007
【図７】
0003718289.tif 000008
【図８】
0003718289.tif 000009